(57)【要約】【課題】開閉扉を容易に着脱することができ、利用者が強い力で開閉したとしても、開閉扉の下側が外れにくいキャビネットを提供する。【解決手段】開閉扉３の上部を支持する上部ガイドレール１０を有し、上部ガイドレール１０よりも手前側にオフセットした位置に開閉扉３が取り付けられるキャビネット１であって、キャビネット本体部２には、開閉扉３の下側を受ける下部ガイドレール２０が設けられ、開閉扉３の下側には、上下方向に伸張して、下部ガイドレール２０との係合を維持する脱輪防止ブロック４０が取り付けられている。【選択図】図８
2020162790.tif 000002
【特許請求の範囲】
【請求項１】
開閉扉の上部を支持する上部ガイドレールを有し、前記上部ガイドレールよりも手前側
にオフセットした位置に前記開閉扉が取り付けられるキャビネットであって、
キャビネット本体部には、前記開閉扉の下側を受ける下部ガイドレールが設けられ、前記開閉扉の下側には、上下方向に伸張して、前記下部ガイドレールとの係合を維持する脱輪防止ブロックが取り付けられていることを特徴とするキャビネット。
【請求項２】
前記脱輪防止ブロックは、前記開閉扉の下側に取り付けられる固定部と、前記固定部に対して下側に移動するスライド部とを有していることを特徴とする請求項１に記載のキャビネット。
【請求項３】
前記開閉扉を開閉方向のいずれかへ引き込むクローザーが設けられていることを特徴とする請求項１または請求項２に記載のキャビネット。
【請求項４】
前記下部ガイドレールには、開閉方向に連続して延びる突条部が設けられ、前記スライド部の下面には、前記突条部と係合する係合溝が形成されており、
前記突条部は、その断面形状が円弧状に形成されていることを特徴とする請求項１から請求項３のいずれか１つに記載のキャビネット。
【発明の詳細な説明】
【技術分野】
【０００１】
本発明は、オフセットした位置に取り付けられた開閉扉を開閉させて物品を収納するキャビネットに関する。
【背景技術】
【０００２】
従来、スーパーマーケットやコンビニエンスストアなどの食品店舗では、商品を取り出す開口部分を斜めに形成するとともに、商品を陳列する下側の棚部の棚面積を広く確保したキャビネット（食品陳列什器、ショーケースなどともいう）が使用されている。このような食品陳列什器では、利用者が棚部に置かれた商品が見易く、かつ商品を取り出し易いという点で利便性がある。
【０００３】
このような食品陳列什器では、食品の衛生状態を保つために、斜めに形成された開口部分を覆うようにして透明の傾斜扉（開閉扉）が設けられることがある。この開閉扉は、本体部に取り付けられた状態で、上部ガイドレールから手前方向へ斜め下側に延びるようにして、平板状、Ｌ字形状、或いは曲面状などに形成されている。すなわち、開閉扉は、上部ガイドレールに対して開閉扉の重心が手前側にオフセットした（ずらした）位置に配置されることになる。開閉扉は、この上部ガイドレールに沿って傾斜したままの状態で開閉方向（開口を正面に見て左右方向）に移動できるようになっている（例えば、特許文献１〜３参照）。
【０００４】
一方、開閉扉の下側には、特許文献３（特に、図２、図４（ｂ）参照）に示すように、
ローラー（戸車）が設けられている。このローラーは、食品陳列什器の下側の棚部の上に載せられて、開閉方向に転動する構造が一般的に用いられている。この構造であれば、部品点数が少なく、安価な製品を提供することができる。
【先行技術文献】
【特許文献】
【０００５】
【特許文献１】特開２００８−２０６６４０号公報
【特許文献２】特開２００９−１３１４３５号公報
【特許文献３】特開２０１２−１９６３１３号公報
【発明の概要】
【発明が解決しようとする課題】
【０００６】
上述した食品陳列什器では、清掃の際、或いはタイムセールなどの繁忙時に、開閉扉が着脱できることが好ましい。そのため、この開閉扉は、店員が開閉扉を上側に持ち上げることで上部ガイドレール部分との係合を解除して、取り外せるようにしている。
一方、商品を棚から取り出そうとする利用者が開閉扉を開閉しようとする場合、どの程度の力で開閉すればよいのか勝手が分からず、強い力で動かそうとするときがある。そうすると、開閉扉の上側部分の移動速度と下側部分の移動速度がずれる（速度差が発生する）ことで開閉扉が傾き、下ローラーが浮き上がってしまう。特に、重心が下部ガイドレールの真上にない開閉扉の場合には、浮き上がると開閉扉が前後にずれて脱輪するおそれがあった。これに対し、ローラーの浮き上がりを防止する構造も考えられるが、下側の構造が複雑で高価なものになってしまう。また、開閉扉の着脱作業が容易に行えなくなってしまうというデメリットがある。
【０００７】
本発明は、上述した事情を鑑みてなされたものであり、その目的は、開閉扉を容易に着脱することができ、利用者が強い力で開閉したとしても、開閉扉の下側が外れにくいキャビネットを提供するためのものである。
【課題を解決するための手段】
【０００８】
上述課題を解決するため、本発明は、開閉扉の上部を支持する上部ガイドレールを有し、前記上部ガイドレールよりも手前側にオフセットした位置に前記開閉扉が取り付けられるキャビネットであって、キャビネット本体部には、前記開閉扉の下側を受ける下部ガイドレールが設けられ、前記開閉扉の下側には、上下方向に伸張して、前記下部ガイドレールとの係合を維持する脱輪防止ブロックが取り付けられていることを特徴とする。
【０００９】
また、前記脱輪防止ブロックは、前記開閉扉の下側に取り付けられる固定部と、前記固定部に対して下側に移動するスライド部とを有している。
【００１０】
さらに、前記下部ガイドレールには、開閉方向に連続して延びる突条部が設けられ、前記スライド部の下面には、前記突条部と係合する係合溝が形成されており、
前記突条部は、その断面形状が円弧状に形成されていてもよい。
【００１１】
また、前記開閉扉を開閉方向へ引き込むクローザーを設けることもできる。
【発明の効果】
【００１２】
本発明に係るキャビネットは、キャビネット本体部には、前記開閉扉の下側を受ける下部ガイドレールが設けられ、前記開閉扉の下側には、上下方向に伸張して、前記下部ガイドレールとの係合を維持する脱輪防止ブロックが取り付けられているので、開閉扉の開閉時に不必要に上側への力が作用したとしても、脱輪防止ブロックが下部ガイドレールとの係合を維持するので、開閉扉が簡単に外れない構造にすることができる。一方、清掃時などには、開閉扉を所定の高さ以上に持ち上げることで脱輪防止ブロックと下部ガイドレールとの係合を外して、開閉扉を容易に取り外すことができる。
【図面の簡単な説明】
【００１３】
【図１】本発明の実施の形態に係る食品陳列什器であって、傾斜扉を有する食品陳列什器の全体を示す斜視図である。
【図２】図１の状態から、右側の傾斜扉を取り外した状態を示す斜視図である。
【図３】図２の状態から、さらに左側の傾斜扉を取り外した状態であって、本体部のみを示す斜視図である。
【図４】図３で示す本体部の分解斜視図である。
【図５】下部ガイドレールに傾斜扉が取り付けられた状態を示す側面図である。
【図６】下部ガイドレールを単体で示す斜視図である。
【図７】（Ａ）は下部ガイドレールの平面図、（Ｂ）は（Ａ）を下側から見た底面図である。
【図８】傾斜扉の下部の拡大斜視図である。
【図９】移動ローラーの斜視図である。
【図１０】脱輪防止ブロックの斜視図であって、（Ａ）は正常状態、（Ｂ）は伸展状態である。
【図１１】脱輪防止ブロックの分解斜視図である。
【図１２】脱輪防止ブロックと突条部との係合状態を示す側面図であって、（Ａ）は正常状態、（Ｂ）は上側に力が作用した状態を示す。
【図１３】脱輪防止ブロックと突条部との係合状態を示す側面図であって、（Ａ）は後側に力が作用した状態、（Ｂ）は前側に力が作用した状態を示す。
【発明を実施するための最良の形態】
【００１４】
以下、本発明の実施の形態に係る食品陳列什器１（キャビネット）について、図面を用いて詳細に説明する。なお、本実施の形態では、開閉扉３が上部ガイドレール１０よりも手前側にオフセットした位置にある一例として、傾斜した開口部を覆うようにして取り付けられた傾斜扉３を有するキャビネットについて説明する。
【００１５】
ここで、本明細書でいう「オフセットした位置に開閉扉が取り付けられるキャビネット」とは、一般的な引き戸のように上部ガイドレールの真下に開閉扉が吊り下げられるものとは異なり、上部ガイドレールよりも手前側で開閉扉が吊り下げられるタイプのキャビネットをいうものとする。より詳細には、開閉扉の重心が上部ガイドレールよりも手前側に位置し、吊り下げられた状態で上部ガイドレールに斜め方向の荷重が作用するタイプのキャビネットである。
また、「開閉扉が傾き」とは、開閉扉を強い力で動かしたときに、上部ガイドレールに沿って開閉方向に移動する開閉扉の上側部分と、下部ガイドレールに沿って開閉方向に移動する開閉扉の下側部分との移動速度がずれる（速度差が発生する）ことで、開閉扉が開閉方向に対して傾くことをいう。
【００１６】
図１は、傾斜扉３を有する食品陳列什器１の全体を示す斜視図である。また、図２は、図１の状態から、右側の傾斜扉３ａを取り外した状態を示し、図３は、さらに左側の傾斜扉３ｂを取り外した状態であって、キャビネット本体２のみを示す斜視図である。さらに、図４は、図３のキャビネット本体２の分解斜視図である。
【００１７】
なお、本実施の形態で使用する前後、左右、上下方向とは、図１で示す方向をいうものとする。また、開閉扉の開閉方向とは、左右方向をいうものとする。
【００１８】
食品陳列什器１は、図１〜図４に示すように、食品陳列什器本体部２（以下、本体部２という）の前側に、傾斜した構造の開口部が設けられており、この開口部を覆うようにして２枚の傾斜扉３（図１の右側に位置する前側扉３ａ、左側に位置する後側扉３ｂ）が取り付けられている。より詳細には、本体部２の前側部分は、下側から上側に向かうに従い、後側へ斜めに傾斜するように形成されており、この傾斜面が開口している。また、傾斜扉３も同様に、本体部２に取り付けられた状態で、傾斜扉３の上側が下側よりも後側に位置するように傾斜した状態になる。
【００１９】
なお、これらの前側扉３ａおよび後側扉３ｂは、いわゆる引き戸タイプの扉であり、左右方向に移動させることでそれぞれ開閉できるようになっている。また、この傾斜扉３は、アクリルまたはガラスなどの透明な材質で形成されており、閉じた状態で本体部２の内部が見えるようになっている。
【００２０】
本体部２は、その上側に、上部ガイドレール１０が取り付けられている。この上部ガイドレール１０は、開閉方向の左右の全長に亘って設けられている。また、この上部ガイドレール１０の内部には、図２〜図４に示すように、上部ガイドレール１０に沿って開閉方向に移動可能な取付金具１１ａ、１１ｂが設けられている。この取付金具１１ａ、１１ｂは、図示しない移動ローラーを有し、上部ガイドレール１０内をスムーズに移動できるようになっている。なお、上部ガイドレール１０の上側には、図４に示すように、上部ガイドレール１０と傾斜扉３の隙間を隠すための化粧板１２が取り付けられる。
【００２１】
また、本体部２は、その下側に、商品を陳列するための棚部４が設けられている。この棚部４は、上部ガイドレール１０よりも手前側まで延びており、棚部４の棚面積を広く確保している。これにより、棚部４に陳列される商品が見やすく、かつ、出し入れし易くしている。
【００２２】
さらに、棚部４の前側には、図１〜図４に示すように、下部ガイドレール２０が取り付けられている。この下部ガイドレール２０も上部ガイドレール１０と同様に、開閉方向の左右の全長に亘って設けられている。なお、下部ガイドレール２０の構造については、詳細を後述する。
【００２３】
前側扉３ａは、図２に示すように、上側に持ち上げることで本体部２から取り外せるようになっている。より詳細には、前側扉３ａの上側部分は、上述した取付金具１１ａ、１１ａの上に置かれて、図示しない固定具によって固定される。この固定具は、ねじ止めなどで強固に取り付けると前側扉３ａの着脱が容易に行えないため、横スライドなどの簡単な構造で着脱できるようにしている。
【００２４】
また、前側扉３ａの下側部分は、下部ガイドレール２０上にローラーを介して置かれている。これらにより、前側扉３ａは、取付金具１１ａ、１１ａが上部ガイドレール１０に沿って開閉方向へ移動することで、取り付けられた前側扉３ａも開閉方向へ自由に移動できるようになる。
【００２５】
なお、後側扉３ｂの上側部分および下側部分も前側扉３ａと同様な構造であり、上側に持ち上げることで本体部２から取り外すことができ、かつ、開閉方向へ自由に移動できる。
【００２６】
図５は、下部ガイドレール２０に傾斜扉３が取り付けられた状態を示す側面図である。また、図６は、下部ガイドレール２０を単体で示す斜視図である。また、図７（Ａ）は下部ガイドレール２０の平面図、図７（Ｂ）は図７（Ａ）を右側から見た右側面図である。
【００２７】
下部ガイドレール２０は、図５〜図７に示すように、長手方向と垂直な面で切断した断面が、上側が開口する略コ字形状に形成されている。より詳細には、棚部４の前側上面に取り付けられる取付面部２１と、この取付面部２１の前側から下側に延びる後壁部２２と、後壁部２２の下端から前側に延びる底面部２３と、底面部２３の前側から上方へ延びる前壁部２４とで構成されている。この底面部２３には、図６および図７（Ａ）に示すように、左右方向の両端部に切欠き部２５がそれぞれ形成されている。
【００２８】
取付面部２１は、図５に示すように、棚部４の上面とほぼ面一になるように取り付けられ、段差のない構造になっている。また、後壁部２２は、棚部４の前側端面と面で接しており、下側に作用する力をこの棚部４でも受けられるようにしている。
【００２９】
底面部２３には、図５〜図７に示すように、２つの突条部２６が形成されている。この２つの突条部２６は、下部ガイドレール２０の左右方向に亘って連続しており、かつ、前後方向に所定の間隔を空けて配置されている。また、突条部２６は、その断面形状が円弧状に形成されている（図５および図１２，図１３参照）。
【００３０】
この突条部２６には、図５に示すように、前側扉３ａおよび後側扉３ｂの下部に設けられた受けローラー３０（図９参照）が上側から載せられて、この突条部２６に沿って開閉方向へと移動するようになっている。詳細には、前側扉３ａの受けローラー３０が前側の突条部２６上を移動し、後側扉３ｂの受けローラー３０が後側の突条部２６上を移動する。
【００３１】
図８は、傾斜扉３の下部の拡大斜視図である。また、図９は、受けローラー３０の単体の斜視図、図１０は、脱輪防止ブロック４０の斜視図であって、（Ａ）は正常状態、（Ｂ）は伸張した状態を示している。さらに、図１１は、脱輪防止ブロック４０の分解斜視図である。
【００３２】
傾斜扉３の下側には、図８に示すように、左右方向に亘って連続する下桟５が設けられている。この下桟５の断面形状は、図５に示すように、下側が開口する逆Ｕ字形状に形成されている。このＵ字状の内部には、図８に示すように、左右方向の両端部に受けローラー３０が取り付けられ、中央部に脱輪防止ブロック４０が取り付けられる。なお、脱輪防止ブロック４０の取付位置、個数などは、例えば、受けローラー３０の横側にそれぞれ設けるなど、傾斜扉３の形状や大きさなどに鑑みて適宜変更して設けることができる。
【００３３】
受けローラー３０は、図９に示すように、取付板３１と、この取付板３１に固定されたローラー部３２とで構成されている。取付板３１の両端には、２つの取付穴３１ａが設けられており、下桟５の逆Ｕ字状の天井部分にねじによって取り付けられる。ローラー部３２には、前後方向に延びる回転軸３３を中心に自在に回転するローラー３４が取り付けられている。
【００３４】
脱輪防止ブロック４０は、図１０（Ａ）、図１０（Ｂ）および図１１に示すように、上側に位置する固定部４１と、下側に位置するスライド部４２とで構成されている。この固定部４１は、内側が中空形状になっており、下側の開口からスライド部４２が挿入され、固定部４１に対しスライド部４２が上下に移動する。
【００３５】
固定部４１は、略Ｔ字形状に形成されており、その上側に２つの取付穴４１ａが設けられている。この取付穴４１ａには、受けローラー３０と同様に、ねじによって下桟５の逆Ｕ字形状の天井部分に取り付けられる。また、固定部４１には、正面から見て上下方向に延びる２つの長穴４３が形成されている。この長穴４３は、左右方向に間隔を空けて配置されており、内部の中空部分を挟んで前後方向に貫通する態様で設けられている。
【００３６】
スライド部４２は、図１１に示すように、略直方体形状に形成されている。このスライド部４２の前後および左右の４箇所には、上下方向に延在し、外側方向に突出する案内突部４９がそれぞれ設けられている。この４つの案内突部４９は、固定部４１の中空内部に形成された４つの案内溝（図示せず）に入り込み、スライド部４２が固定部４１に対してスムーズに上下移動できるようにしている。
【００３７】
スライド部４２には、左右に２つの挿通穴４４が形成されている。この挿通穴４４は、固定部４１の長穴４３と対応する位置にあり、固定部４１にスライド部４２を挿入した状態で、長穴４３と挿通穴４４にピン４５が挿入される。これにより、スライド部４２は、長穴４３の長さの範囲内で、図１０で示すＬ１寸法からＬ２寸法まで上下に移動する（伸張する）ことができるようになる。
【００３８】
また、スライド部４２の上面には、円柱状に上方へ突出する３つのばね受け４７が設けられている。このばね受け４７には、上下方向に伸縮する３つのコイルばね４６がそれぞれ取り付けられる。このコイルばね４６によって、スライド部４２は固定部４１に対して、常に下側へと付勢された状態になる（図１０（Ｂ）参照）
【００３９】
さらに、スライド部４２の下面には、左右方向の両端部まで連続して延びる係合溝４８が形成されている。この係合溝４８は、図５に示すように、下から上へ凹んだ形状になっており、その断面形状における溝の上部が円弧状になっている。この円弧形状の径は、上述した下部ガイドレール２０の突条部２６の円弧状の径とほぼ等しく形成されており、傾斜扉３を開閉する際に、この係合溝４８が突条部２６と曲面で接しながら開閉方向へと摺動する。
【００４０】
なお、図５に示すように、受けローラー３０のローラー３４にも、その外周面に周方向に沿って同じ形状の溝が設けられている。これにより、ローラー３４は、突条部２６と曲面で接しながら回転するようになっている。
【００４１】
次に、本発明の実施の形態に係る食品陳列什器１の動作・作用について詳細に説明する。
図１２および図１３は、脱輪防止ブロック４０が下部ガイドレール２０の突条部２６と係合している各種状態を示している。なお、図を簡易にするために、図１２および図１３では、下部ガイドレール２０と前側扉３ａに取り付けられる脱輪防止ブロック４０のみを表示し、後側の突条部２６上を移動する脱輪防止ブロック４０は省略して記載する。また、後側扉３ｂに取り付けられる脱輪防止ブロック４０も、前側扉３と同じ動作・作用であるため、その詳細な説明を省略する。
【００４２】
図１２（Ａ）に示すように、脱輪防止ブロック４０は、下部ガイドレール２０の突条部２６に係合溝４８を係合させて取り付けられる。このとき、脱輪防止ブロック４０は、傾斜扉３の自重によってコイルばね４６が押し込まれ、スライド部４２が固定部４１内に入り込んだ状態になる（図１０（Ａ）の状態）。食品陳列什器１の利用者が傾斜扉３を開閉するときは、正常な動作ではこの状態で開閉方向へ移動することになる。
【００４３】
一方、傾斜扉３はその重心が上部ガイドレール１０よりも前側に位置するため、利用者が傾斜扉３を開閉する際に、一般的な引戸とは違い、傾斜扉３に上方或いは前後方向に不必要な力を作用させてしまうことがある。以下では、このような場合について説明する。
【００４４】
傾斜扉３を傾ける力が作用した場合、受けローラー３０は、傾斜扉３と一緒に上側に持ち上げられて、突条部２６との係合が外れてしまう。一方、脱輪防止ブロック４０のスライド部４２は、コイルばね４６の付勢力によって押し下げられ、図１２（Ｂ）に示すように、突条部２６と係合溝４８との係合が外れないようになる。そのため、上側へ作用する力がなくなって傾斜扉３が下側へ戻ったときに、脱輪防止ブロック４０が正常状態（Ｌ１寸法）に収縮するとともに、受けローラー３０が前後にずれずに再び突条部２６と係合する元の状態（脱輪しない状態）に戻ることになる。すなわち、傾斜扉３が不用意に突条部２６のガイドから外れることがない。
【００４５】
また、店員が傾斜扉３を外そうとする場合には、脱輪防止ブロック４０が上下にスライドする寸法Ｌ２以上に傾斜扉３を上側へ持ち上げることで、従来と同等に容易に取り外すことができる。
【００４６】
また、傾斜扉３が傾いて後側へ押し出す力が作用した場合、図１３（Ａ）に示すように、突条部２６と係合溝４８とは係合したまま、脱輪防止ブロック４０が突条部２６の円弧形状に沿って後側へ傾くことで力を逃がすようになる。そのため、押し出す力に対して、脱輪防止ブロック４０が突条部２６のガイドから外れることがない。また、スライド部４２の係合溝４８の前後には、角部がＲ面取りされており、脱輪防止ブロック４０が前後に傾いた際に、下部ガイドレール１０と干渉することを防止している。
【００４７】
なお、図１３（Ｂ）に示すように、傾斜扉３を前側に引く力が作用した場合も同様に、脱輪防止ブロック４０が突条部２６の円弧形状に沿って前側へ傾くようになり、引く力に対して、脱輪防止ブロック４０が突条部２６のガイドから外れることがない。また、前後方向の力に対しては、受けローラー３０も同様に、円弧形状に沿って傾くようになり、突条部２６のガイドから外れることがない。
【００４８】
次に、下部ガイドレール２０の作用について説明する。
下部ガイドレール２０は、図５および図１２、図１３に示すように、棚部４の上面よりも一段低い位置で傾斜扉３の下側を下側から覆う、いわゆる樋のような構造になっている。この構造であれば、傾斜扉３の下側がこの下部ガイドレール２０を越えて前後に外れないようになるため、より安全性が高められる。
【００４９】
また、一段低い位置で受けることで、傾斜扉３の下桟５が下部ガイドレール２０内に収まるようにしている。すなわち、下桟５は不透明であるため、棚部４と同じ高さで受けるようにすると、下桟５によって棚部４の手前側に死角ができてしまう。そのため、商品名を記載したプレートなどを手前側に置くことができない。これに対し、本実施形態の構造では、下桟５による死角が極力なくなるようにしているので、棚部４の手前側に死角ができず、棚部４をより広い面積で使用できるようになる。
【００５０】
さらに、棚部４の上面と下部ガイドレールとの間に段差などを設けていない構造であるため、棚部４の上面に落ちた屑（例えば、食品のカスや、ゴミなど）を下部ガイドレール２０の底面部２３に掃き落とすようにすることができる。これにより、清掃が簡単で、棚部４の上面を常にきれいに保つことができる。なお、底面部２３に掃き落とされた屑は、底面部２３に形成された切欠き部２５（図７（Ａ）参照）から排出できるようになっている。
【００５１】
本発明の実施の形態に係る食品陳列什器１によれば、傾斜扉３の上部を支持する上部ガイドレール１０を有し、上部ガイドレール１０よりも手前側にオフセットした位置に傾斜扉３が取り付けられ、キャビネット本体部２には、傾斜扉３の下側を受ける下部ガイドレール２０が設けられ、傾斜扉３の下側には、傾斜扉３が傾いたときに、上下方向に伸張して、下部ガイドレール２０との係合を維持する脱輪防止ブロック４０が取り付けられているので、傾斜扉３の開閉時に不必要に傾ける力が作用したとしても、脱輪防止ブロック４０が下部ガイドレール２０との係合を維持するので、傾斜扉３が簡単に外れない構造にすることができる。一方、清掃時などには、傾斜扉３を所定の高さ以上に持ち上げることで脱輪防止ブロック４０との係合を外して、傾斜扉３を容易に取り外すことができる。
【００５２】
また、脱輪防止ブロック４０は、傾斜扉３の下側に取り付けられる固定部４１と、固定部４１に対して下側に移動するスライド部４２とを有しているので、スライド部４２を上下に誘導する簡単な構造で、脱輪防止ブロック４０を上下に方向に伸縮させることができる。
【００５３】
さらに、下部ガイドレール２０には、開閉方向に連続して延びる突条部２６が設けられ、スライド部４２の下面には、突条部２６と係合する係合溝４８が形成されており、突条部２６は、その断面形状が円弧状に形成されているので、傾斜扉３の開閉時に不必要に前後方向への力が作用したとしても、円弧形状の突条部２６を支点にして脱輪防止ブロック４０が前後方向に傾いて、その力を受けるようにすることができる。これにより、脱輪防止ブロック４０が突条部２６から外れ難くすることができる。
【００５４】
以上、本発明の実施の形態に係る傾斜扉を有するキャビネットについて述べたが、本発明は既述の実施形態に限定されるものではなく、本発明の技術思想に基づいて各種の変形および変更が可能である。
【００５５】
例えば、本実施の形態では、上部ガイドレール１０よりも手前側にオフセットした位置に開閉扉が取り付けられるキャビネットの一例として、傾斜した開口部を覆うようにして取り付けられた傾斜扉３を有する食品陳列什器１について説明したが、これに限定されない。例えば、特許文献２、３で開示されているような略Ｌ字形状、曲面形状に形成された開閉扉を有するキャビネットであっても、開閉扉がオフセットした位置に取り付けられるものであれば同様の課題が発生するので、本発明の効果を奏するようになる。
【００５６】
また、本実施の形態では、キャビネットの一例として食品陳列什器１について説明しているが、扉がオフセットした位置に取り付けられて使用されるものであれば、書類棚、保管棚など、種々のものに使用することができる。
【００５７】
さらに、本実施の形態では、脱輪防止ブロック４０において、スライド部４２をコイルばね４６で下側に付勢して移動させる構成であるが、これに限定されない。例えば、スライド部４２の重量を重くし或いは重りを付加してスライド部４２が自重で下側に移動するようにしてもよい。すなわち、傾斜扉３を上側に持ち上げたときに、スライド部４２が下側に移動する構造であれば、従来の一般的な技術を適用してこれを実現することができる。
【００５８】
また、本実施の形態では、下部ガイドレール２０側に突出する突条部２６を設け、脱輪防止ブロック４０側に、突条部２６と係合する係合溝４８が設けられているが、突条部２６と係合溝４８の凹凸がそれぞれ逆に構成されていてもよい。この場合でも、傾斜扉３が傾けられたときに、適宜対応することができる。
【００５９】
一方、本実施形態の食品陳列什器１には、傾斜扉３を開閉方向に移動させるクローザーが設けられることがある。このクローザーとは、傾斜扉３が半開きのときに、閉じた状態まで強制的に移動させたり、強い力で閉じようとしたときにその力を緩衝するためのものである。食品陳列什器では、内部の衛生を保つために傾斜扉３を閉じた状態に保つことは有用であり、近年では需要が増えている。
【００６０】
このクローザーを、オフセットした開閉扉を有する食品陳列什器１に取り付けると、上下のローラーに速度差が生じやすくなり、傾斜扉３が傾くおそれがある。そして、傾斜扉３は重心が下部ガイドレール２０上にないために、脱輪しやすくなる。そのため、クローザーを取り付けた食品陳列什器１に脱輪防止ブロック４０の構造を適用すれば、クローザーの動作の確実性をさらに高めることになる。
【符号の説明】
【００６１】
１  食品陳列什器（キャビネット）
２  食品陳列什器本体（本体部）
３  傾斜扉（開閉扉）
３ａ  前側扉
３ｂ  後側扉
４  棚部
５  下桟
１０  上部ガイドレール
１１ａ、１１ｂ  取付金具
１２  化粧板
２０  下部ガイドレール
２１  取付面部
２２  後壁部
２３  底面部
２４  前壁部
２５  切欠き部
２６  突条部
３０  受けローラー
３１  取付板
３１ａ  取付穴
３２  ローラー部
３３  回転軸
３４  ローラー
４０  脱輪防止ブロック
４１  固定部
４２  スライド部
４３  長穴
４４  挿通穴
４５  ピン
４６  コイルばね
４７  ばね受け
４８  係合溝
４９  案内突部
【図１】
2020162790.tif 000003
【図２】
2020162790.tif 000004
【図３】
2020162790.tif 000005
【図４】
2020162790.tif 000006
【図５】
2020162790.tif 000007
【図６】
2020162790.tif 000008
【図７】
2020162790.tif 000009
【図８】
2020162790.tif 000010
【図９】
2020162790.tif 000011
【図１０】
2020162790.tif 000012
【図１１】
2020162790.tif 000013
【図１２】
2020162790.tif 000014
【図１３】
2020162790.tif 000015